【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
画像を表示するための表示パネルと、
前記表示パネルに光を照射するための光源と、
少なくとも第１の方向に前記表示パネルが配置された状態で、前記光源から照射された光を第１の偏光軸を有する光と、第２の偏光軸を有する光とに分離するための第１偏光軸制御手段と、
前記表示パネルが前記第１の方向と交差する第２の方向に配置された状態で、前記光源から照射された光を少なくとも２つの異なる偏光軸を有する光に分離するための第２偏光軸制御手段とを備え、
前記表示パネルが前記第１の方向に配置された状態で、前記第１の偏光軸を有する光および前記第２の偏光軸を有する光の一方を出射することにより、立体画像を提供するとともに、
前記表示パネルが前記第２の方向に配置された状態で、前記少なくとも２つの異なる偏光軸を有する光のうちの少なくとも１つの偏光軸を有する光を出射することにより、立体画像を提供する、画像表示装置。
【請求項２】
前記第２偏光軸制御手段は、偏光制御液晶パネルを含む、請求項１に記載の画像表示装置。
【請求項３】
前記第１偏光軸制御手段は、位相差板を含む、請求項１または２に記載の画像表示装置。
【請求項４】
前記第１偏光軸制御手段は、前記光源から照射された光を前記第１の偏光軸を有する光に制御するための複数の第１偏光制御領域と、前記光源から照射された光を前記第２の偏光軸を有する光に制御するための複数の第２偏光制御領域とを含み、
前記複数の第１偏光制御領域および前記複数の第２偏光制御領域は、前記表示パネルが前記第１の方向に配置された状態で、前記第１の方向および前記第２の方向の両方に対して交差する方向に沿って配置されている、請求項１〜３のいずれか１項に記載の画像表示装置。
【請求項５】
前記表示パネルは、カラー表示するための複数のドット領域を含み、
前記第１偏光軸制御手段の前記第１偏光制御領域および前記第２偏光制御領域は、それぞれ、前記表示パネルの各々の前記ドット領域毎に配置されている、請求項４に記載の画像表示装置。
【請求項６】
前記表示パネルが前記第１の方向に配置された状態で、前記第１の偏光軸を有する光および前記第２の偏光軸を有する光の一方により、左目用画像を出射するとともに、右目用画像を出射することによって、立体画像を提供し、
前記表示パネルが前記第２の方向に配置された状態で、前記少なくとも２つの異なる偏光軸を有する光のうちの少なくとも１つの偏光軸を有する光により、前記左目用画像を出射するとともに、前記右目用画像を出射することによって、立体画像を提供する、請求項１〜５のいずれか１項に記載の画像表示装置。
【請求項７】
前記第２偏光軸制御手段は、前記表示パネルが前記第２の方向に配置された状態で、前記第１の偏光軸を有する光を、第３の偏光軸を有する光と第４の偏光軸を有する光とに分離するとともに、前記第２の偏光軸を有する光を、第５の偏光軸を有する光と第６の偏光軸を有する光とに分離し、
前記第４の偏光軸を有する光と前記第６の偏光軸を有する光とにより、前記左目用画像を出射するとともに、前記右目用画像を出射することによって、立体画像を提供する、請求項１〜６のいずれか１項に記載の画像表示装置。
【請求項８】
前記第２偏光軸制御手段は、前記第１の偏光軸を有する光を、第３の偏光軸を有する光と第４の偏光軸を有する光とに分離するための複数の第３偏光制御領域と、前記第２の偏光軸を有する光を、第５の偏光軸を有する光と第６の偏光軸を有する光とに分離するための複数の第４偏光制御領域とを含み、
前記第３偏光制御領域および前記第４偏光制御領域は、前記表示パネルが前記第２の方向に配置された状態で、前記第２の方向に対して実質的に垂直方向に延びるとともに、前記第２の方向に沿った方向に交互に配置されている、請求項１〜７のいずれか１項に記載の画像表示装置。
【請求項９】
前記表示パネルは、光の３原色をそれぞれ表示するための３つのドット領域を含み、
前記第２偏光軸制御手段の前記第３偏光制御領域および前記第４偏光制御領域の前記第２の方向に沿った方向の長さは、前記ドット領域の前記第２の方向に沿った方向の長さに実質的に対応するように設定されており、
前記表示パネルの光の３原色をそれぞれ表示するための３つのドット領域は、前記表示パネルが前記第２の方向に配置された状態で、前記第２の方向に対して実質的に垂直方向に隣接するように配置される、請求項８に記載の画像表示装置。
【請求項１０】
前記第２偏光軸制御手段は、前記第３偏光制御領域および前記第４偏光制御領域を有する偏光制御液晶パネルをさらに含み、
前記偏光制御液晶パネルの前記第３偏光制御領域および前記第４偏光制御領域には、それぞれ、液晶に電圧を印加するための電極が前記第３偏光制御領域および前記第４偏光制御領域と同じ方向に延びるように形成されている、請求項８または９に記載の画像表示装置。
【請求項１１】
前記表示パネルが前記第１の方向に配置された状態で、前記第２偏光軸制御手段は、前記第１の偏光軸を有する光および前記第２の偏光軸を有する光に対して、偏光軸を制御していずれか一方の光を透過する第１の状態と偏光軸を制御せずに両方の光を透過する第２の状態とを切り換え可能であり、
前記表示パネルが前記第１の方向に配置された状態で、前記第２偏光軸制御手段が前記第１の偏光軸を有する光および前記第２の偏光軸を有する光に対して、偏光軸を制御していずれか一方の光を透過する前記第１の状態で、立体画像を提供するとともに、
前記表示パネルが前記第１の方向に配置された状態で、前記第２偏光軸制御手段が前記第１の偏光軸を有する光および前記第２の偏光軸を有する光に対して、偏光軸を制御せずに両方の光を透過する前記第２の状態で、前記第１の偏光軸を有する光および前記第２の偏光軸を有する光の両方を出射することによって、平面画像を提供する、請求項１〜１０のいずれか１項に記載の画像表示装置。
【請求項１２】
前記表示パネルが前記第２の方向に配置された状態で、前記第２偏光軸制御手段は、前記第１の偏光軸を有する光を、第３の偏光軸を有する光と第４の偏光軸を有する光とに分離するとともに、前記第２の偏光軸を有する光を、第５の偏光軸を有する光と第６の偏光軸を有する光とに分離し、かつ、前記第４の偏光軸を有する光と前記第６の偏光軸を有する光との少なくとも一方を透過する第３の状態と、前記第１の偏光軸を有する光および前記第２の偏光軸を有する光に対して、偏光軸を制御せずに両方の光を透過する第４の状態とを切り換え可能であり、
前記表示パネルが前記第２の方向に配置された状態で、かつ、前記第４の偏光軸を有する光と前記第６の偏光軸を有する光との少なくとも一方を透過する前記第３の状態で、前記第４の偏光軸を有する光と前記第６の偏光軸を有する光とにより、立体画像を提供するとともに、
前記表示パネルが前記第２の方向に配置された状態で、かつ、前記第２偏光軸制御手段が前記第１の偏光軸を有する光および前記第２の偏光軸を有する光に対して、偏光軸を制御せずに両方の光を透過する前記第４の状態で、前記第１の偏光軸を有する光および前記第２の偏光軸を有する光の両方を出射することによって、平面画像を提供する、請求項１〜１１のいずれか１項に記載の画像表示装置。
【手続補正２】
【補正対象書類名】明細書
【補正対象項目名】００１３
【補正方法】変更
【補正の内容】
【００１３】
上記目的を達成するために、この発明の一の局面による画像表示装置は、画像を表示するための表示パネルと、表示パネルに光を照射するための光源と、少なくとも第１の方向に表示パネルが配置された状態で、光源から照射された光を第１の偏光軸を有する光と、第２の偏光軸を有する光とに分離するための第１偏光軸制御手段と、表示パネルが第２の方向に配置された状態で、光源から照射された光を少なくとも２つの異なる偏光軸を有する光に分離するための第２偏光軸制御手段とを備え、表示パネルが第１の方向に配置された状態で、第１の偏光軸を有する光および第２の偏光軸を有する光の一方を出射することにより、立体画像を提供するとともに、表示パネルが第１の方向と交差する第２の方向に配置された状態で、少なくとも２つの異なる偏光軸を有する光のうちの少なくとも１つの偏光軸を有する光を出射することにより、立体画像を提供する。
【手続補正３】
【補正対象書類名】明細書
【補正対象項目名】００１４
【補正方法】変更
【補正の内容】
【００１４】
この一の局面による画像表示装置では、上記のように、第１偏光軸制御手段と第２偏光軸制御手段とを設けるとともに、表示パネルが第１の方向に配置された状態で、光源から照射されて第１偏光軸制御手段により分離された第１の偏光軸を有する光および第２の偏光軸を有する光の一方を出射することにより、立体画像を提供し、かつ、表示パネルが第１の方向と交差する第２の方向に配置された状態で、光源から照射されて第２偏光軸制御手段により分離された少なくとも２つの異なる偏光軸を有する光のうちの少なくとも１つの偏光軸を有する光を出射することにより、立体画像を提供することによって、表示パネルを第１の方向（縦向き）に配置した場合および第２の方向（横向き）に配置した場合の両方の場合に、観察者に立体画像を提供することができる。
【手続補正４】
【補正対象書類名】明細書
【補正対象項目名】００１９
【補正方法】変更
【補正の内容】
【００１９】
上記一の局面による画像表示装置において、好ましくは、表示パネルが第１の方向に配置された状態で、第１の偏光軸を有する光および第２の偏光軸を有する光の一方により、左目用画像を出射するとともに、右目用画像を出射することによって、立体画像を提供し、表示パネルが第２の方向に配置された状態で、少なくとも２つの異なる偏光軸を有する光のうちの少なくとも１つの偏光軸を有する光により、左目用画像を出射するとともに、右目用画像を出射することによって、立体画像を提供する。このように構成すれば、表示パネルを第１の方向（縦向き）に配置した場合および第２の方向（横向き）に配置した場合の両方の場合に、容易に、観察者に立体画像を提供することができる。
【手続補正５】
【補正対象書類名】明細書
【補正対象項目名】００２０
【補正方法】変更
【補正の内容】
【００２０】
上記一の局面による画像表示装置において、好ましくは、第２偏光軸制御手段は、表示パネルが第２の方向に配置された状態で、第１の偏光軸を有する光を、第３の偏光軸を有する光と第４の偏光軸を有する光とに分離するとともに、第２の偏光軸を有する光を、第５の偏光軸を有する光と第６の偏光軸を有する光とに分離し、第４の偏光軸を有する光と第６の偏光軸を有する光とにより、左目用画像を出射するとともに、右目用画像を出射することによって、立体画像を提供する。このように構成すれば、表示パネルが第１の方向と交差する第２の方向に配置された状態で、第２偏光軸制御手段により分離された第４の偏光軸を有する光と第６の偏光軸を有する光とにより、容易に、左目用画像を出射するとともに、右目用画像を出射することができるので、容易に、観察者に立体画像を提供することができる。
【手続補正６】
【補正対象書類名】明細書
【補正対象項目名】００２１
【補正方法】変更
【補正の内容】
【００２１】
上記一の局面による画像表示装置において、好ましくは、第２偏光軸制御手段は、第１の偏光軸を有する光を、第３の偏光軸を有する光と第４の偏光軸を有する光とに分離するための複数の第３偏光制御領域と、第２の偏光軸を有する光を、第５の偏光軸を有する光と第６の偏光軸を有する光とに分離するための複数の第４偏光制御領域とを含み、第３偏光制御領域および第４偏光制御領域は、表示パネルが第２の方向に配置された状態で、第２の方向に対して実質的に垂直方向に延びるとともに、第２の方向に沿った方向に交互に配置されている。このように構成すれば、第１の偏光軸を有する光を、第３の偏光軸を有する光と第４の偏光軸を有する光とに、容易に、分離することができるとともに、第２の偏光軸を有する光を、第５の偏光軸を有する光と第６の偏光軸を有する光とに、容易に、分離することができるので、表示パネルが第２の方向に配置された状態で、第２偏光軸制御手段により分離された第４の偏光軸を有する光と第６の偏光軸を有する光とにより、容易に、左目用画像を出射するとともに、右目用画像を出射することができる。これにより、容易に、観察者に立体画像を提供することができる。
【手続補正７】
【補正対象書類名】明細書
【補正対象項目名】００２２
【補正方法】変更
【補正の内容】
【００２２】
上記第２偏光軸制御手段が第３偏光制御領域および第４偏光制御領域を含む画像表示装置において、好ましくは、表示パネルは、光の３原色をそれぞれ表示するための３つのドット領域を含み、第２偏光軸制御手段の第３偏光制御領域および第４偏光制御領域の第２の方向に沿った方向の長さは、ドット領域の第２の方向に沿った方向の長さに実質的に対応するように設定されており、表示パネルの光の３原色をそれぞれ表示するための３つのドット領域は、表示パネルが第２の方向に配置された状態で、第２の方向に対して実質的に垂直方向に隣接するように配置される。このように構成すれば、第２の方向に対して実質的に垂直に延びるように設けられた第３偏光制御領域および第４偏光制御領域に、それぞれ、光の３原色に対応する３つのドット領域を配置することができるので、観察者に画像劣化の少ない立体画像を提供することができる。
【手続補正８】
【補正対象書類名】明細書
【補正対象項目名】００２４
【補正方法】変更
【補正の内容】
【００２４】
上記一の局面による画像表示装置において、好ましくは、表示パネルが第１の方向に配置された状態で、第２偏光軸制御手段は、第１の偏光軸を有する光および第２の偏光軸を有する光に対して、偏光軸を制御していずれか一方の光を透過する第１の状態と偏光軸を制御せずに両方の光を透過する第２の状態とを切り換え可能であり、表示パネルが第１の方向に配置された状態で、第２偏光軸制御手段が第１の偏光軸を有する光および第２の偏光軸を有する光に対して、偏光軸を制御していずれか一方の光を透過する第１の状態で、立体画像を提供するとともに、表示パネルが第１の方向に配置された状態で、第２偏光軸制御手段が第１の偏光軸を有する光および第２の偏光軸を有する光に対して、偏光軸を制御せずに両方の光を透過する第２の状態で、第１の偏光軸を有する光および第２の偏光軸を有する光の両方を出射することによって、平面画像を提供する。このように構成すれば、第２偏光軸制御手段を、第１の偏光軸を有する光および第２の偏光軸を有する光を偏光軸を制御していずれか一方の光を透過することにより観察者に立体画像を提供する場合と、第１の偏光軸を有する光および第２の偏光軸を有する光を偏光軸を制御せずに両方の光を透過することにより観察者に平面画像を提供する場合とに切り換えることにより、１つの画像表示装置で、観察者に立体画像および平面画像の両方を提供することができる。
【手続補正９】
【補正対象書類名】明細書
【補正対象項目名】００２５
【補正方法】変更
【補正の内容】
【００２５】
上記一の局面による画像表示装置において、好ましくは、表示パネルが第２の方向に配置された状態で、第２偏光軸制御手段は、第１の偏光軸を有する光を、第３の偏光軸を有する光と第４の偏光軸を有する光とに分離するとともに、第２の偏光軸を有する光を、第５の偏光軸を有する光と第６の偏光軸を有する光とに分離し、かつ、第４の偏光軸を有する光と第６の偏光軸を有する光との少なくとも一方を透過する第３の状態と、第１の偏光軸を有する光および第２の偏光軸を有する光に対して、偏光軸を制御せずに両方の光を透過する第４の状態とを切り換え可能であり、表示パネルが第２の方向に配置された状態で、かつ、第４の偏光軸を有する光と第６の偏光軸を有する光との少なくとも一方を透過する第３の状態で、第４の偏光軸を有する光と第６の偏光軸を有する光とにより、立体画像を提供するとともに、表示パネルが第２の方向に配置された状態で、かつ、第２偏光軸制御手段が第１の偏光軸を有する光および第２の偏光軸を有する光に対して、偏光軸を制御せずに両方の光を透過する第４の状態で、第１の偏光軸を有する光および第２の偏光軸を有する光の両方を出射することによって、平面画像を提供する。このように構成すれば、第２偏光軸制御手段を、第４の偏光軸を有する光と第６の偏光軸を有する光とにより観察者に立体画像を提供する場合と、第１の偏光軸を有する光および第２の偏光軸を有する光を偏光軸を制御せずに両方の光を透過することにより観察者に平面画像を提供する場合とに切り換えることにより、１つの画像表示装置で、観察者に立体画像および平面画像の両方を提供することができる。
【手続補正１０】
【補正対象書類名】明細書
【補正対象項目名】００４５
【補正方法】変更
【補正の内容】
【００４５】
（横向き配置時の立体画像表示モード）
図１２は、図１に示した本発明の一実施形態による表示パネルの横向き配置時における立体画像表示方法を説明するための図である。次に、図５、図６、図８、図１０および図１２を参照して、本発明の一実施形態による表示パネル３の横向き配置時における立体画像表示方法について説明する。